(57)【要約】【課題】  転写ベルトなど用紙を搬送する搬送部材の長寿命化を図る画像形成装置を提供する。【解決手段】  装置２は、用紙Ｓａを担持した状態で第１の搬送方向に沿って搬送する転写ベルト４と、該ベルトに沿って配置された作像ユニット６Ｙ〜６Ｋと、用紙Ｓｂを第２の搬送方向に沿って作像ユニット６Ｋまで搬送する用紙搬送ユニット２４ｂ，２６ｂと、作像ユニット６Ｋの感光体ドラム８Ｋのトナー画像を、用紙搬送ユニットにより第２の搬送方向に沿って搬送される用紙に転写する転写ローラ４０とを備える。カラーモードでは、用紙Ｓａに対し複数の作像ユニットによりカラー画像を形成する。モノクロモードでは、用紙Ｓｂに対し作像ユニット６Ｋによりモノクロ画像を形成する。転写ベルトは、カラーモードにおいて感光体ドラム８Ｋに当接し、モノクロモードにおいて感光体ドラム８Ｋから離間する。【選択図】図１
2006119393.tif 000002
【特許請求の範囲】
【請求項１】
用紙を担持した状態で第１の搬送方向に沿って搬送する用紙搬送部材と、
トナー画像を担持し用紙搬送部材と当接した状態で回転可能な像担持体をそれぞれ備え、第１の搬送方向に沿って配置された複数の作像ユニットと、
用紙を第２の搬送方向に沿って、第１の搬送方向に関して最下流に位置する最下流作像ユニットまで搬送する用紙搬送ユニットと、
最下流作像ユニットの像担持体のトナー画像を、用紙搬送ユニットにより第２の搬送方向に沿って搬送される用紙に転写する転写器と、を備え、
用紙搬送部材により第１の搬送方向に沿って搬送される用紙に対し、複数の作像ユニットによりカラー画像を形成するカラーモードと、
用紙搬送ユニットにより第２の搬送方向に沿って搬送される用紙に対し、最下流作像ユニットによりモノクロ画像を形成するモノクロモードと、を有し、
用紙搬送部材は、カラーモードにおいて最下流作像ユニットの像担持体に当接し、モノクロモードにおいて最下流作像ユニットの像担持体から離間するようにしたことを特徴とするカラー画像形成装置。
【請求項２】
モノクロモードにおいて、用紙搬送部材の駆動を停止することを特徴とする請求項１記載のカラー画像形成装置。
【発明の詳細な説明】
【技術分野】
【０００１】
本発明は、複写機、プリンタ、ファクシミリなどの画像形成装置に関する。本発明は特に、タンデム型のカラー画像形成装置に関する。
【背景技術】
【０００２】
従来、４つの作像ユニットを用紙の搬送路に沿って並べたタンデム型のカラー画像形成装置が知られている。かかる装置は、一般に、４色のトナーを用いて画像を形成するカラーモードと、１色のトナー（典型的にはブラック）を用いて画像を形成するモノクロモードとを有している。
【０００３】
カラーモードでは、全ての感光体ドラムを転写ベルトに当接させた状態で、各作像ユニットの感光体ドラム上にイエロー、マゼンタ、シアン、ブラックのトナー画像をそれぞれ形成し、これらのトナー画像を搬送路をなす転写ベルト上を搬送される用紙に順次重ねて転写してカラー画像を形成する。
【０００４】
モノクロモードでは、１つの感光体ドラム（典型的には、ブラック用の感光体ドラム）を転写ベルトに当接させるとともにその他の色の感光体ドラムを転写ベルトから離間させてモノクロ画像形成を行い、これによりカラー用の作像ユニットのプロセス部材（例えば、感光体ドラム、現像器など）の不要な消耗を防止するのが一般的である（例えば、特許文献１参照。）。また、特許文献２には、モノクロモードにおいて、３つのカラー用作像ユニットの帯電器および／または現像器の作動を停止した上で用紙を搬送させることで、モノクロ画像であるブラック画像を用紙に形成する画像形成装置が開示されている。
【特許文献１】特開２００１−１００４８０号公報
【特許文献２】特開２００１−３５０３５３号公報
【発明の開示】
【発明が解決しようとする課題】
【０００５】
しかしながら、このような画像形成装置では、モノクロモードにおいても転写ベルトを停止できないため、該ベルトの寿命が低下する。
【０００６】
そこで、本発明の目的は、転写ベルトなど用紙を搬送する搬送部材の長寿命化を図るカラー画像形成装置を提供することを目的とする。
【課題を解決するための手段】
【０００７】
上記目的を達成するために、本発明に係るカラー画像形成装置は、
用紙を担持した状態で第１の搬送方向に沿って搬送する用紙搬送部材と、
トナー画像を担持し用紙搬送部材と当接した状態で回転可能な像担持体をそれぞれ備え、第１の搬送方向に沿って配置された複数の作像ユニットと、
用紙を第２の搬送方向に沿って、第１の搬送方向に関して最下流に位置する最下流作像ユニットまで搬送する用紙搬送ユニットと、
最下流作像ユニットの像担持体のトナー画像を、用紙搬送ユニットにより第２の搬送方向に沿って搬送される用紙に転写する転写器と、を備え、
用紙搬送部材により第１の搬送方向に沿って搬送される用紙に対し、複数の作像ユニットによりカラー画像を形成するカラーモードと、
用紙搬送ユニットにより第２の搬送方向に沿って搬送される用紙に対し、最下流作像ユニットによりモノクロ画像を形成するモノクロモードと、を有し、
用紙搬送部材は、カラーモードにおいて最下流作像ユニットの像担持体に当接し、モノクロモードにおいて最下流作像ユニットの像担持体から離間するようにしたことを特徴とする。
【発明の効果】
【０００８】
本発明によれば、モノクロモードにおいて用紙搬送部材を最下流作像ユニットから離間させているので、用紙搬送部材の駆動を停止することができる。したがって、用紙搬送部材の長寿命化を図ることができる。
【発明を実施するための最良の形態】
【０００９】
以下、添付図面を参照して本発明に係る実施の形態を説明する。なお、本願明細書では、方向を表す用語（例えば、「上」、「下」、「右」、「左」、およびこれらの用語を含む別の用語）を適宜用いるが、説明に用いる図面中の方向を示すだけのものであって、これらの用語によって本発明が限定的に解釈されるべきでない。
【００１０】
図１は、本発明に係る画像形成装置の一実施形態であるタンデム型カラープリンタ２を示す。このプリンタ２は、その内部のほぼ中央部に水平方向に伸びた転写ベルト４を備えている。
【００１１】
転写ベルト４の上部水平部の下には、イエロー（Ｙ）、マゼンタ（Ｍ）、シアン（Ｃ）、ブラック（Ｋ）の各色にそれぞれ対応する４つの作像ユニット６Ｙ，６Ｍ，６Ｃ，６Ｋが転写ベルトに沿って左側から右側に向けて並んで配置されている。
【００１２】
各作像ユニット６（６Ｙ，６Ｍ，６Ｃ，６Ｋ）は、転写ベルト４と当接した状態で回転可能な像担持体として感光体ドラム８（８Ｙ，８Ｍ，８Ｃ，８Ｋ）をそれぞれ有している。各感光体ドラム８の周囲には、その回転方向(図面反時計回り方向）に沿って順に、帯電器１０（１０Ｙ，１０Ｍ，１０Ｃ，１０Ｋ）、現像器１２（１２Ｙ，１２Ｍ，１２Ｃ，１２Ｋ）、転写ベルト４を挟んで各感光体ドラム８（８Ｙ，８Ｍ，８Ｃ，８Ｋ）と対向する転写ローラ１４（１４Ｙ，１４Ｍ，１４Ｃ，１４Ｋ）、および、クリーニング装置１６（１６Ｙ，１６Ｍ，１６Ｃ，１６Ｋ）がそれぞれ配置されている。作像ユニット６の上方には、各帯電器１０により表面が一様に帯電された感光体ドラム８に対しレーザ光を露光するための露光装置１８が配置されている。
【００１３】
転写ベルト４は、左端に配置され回転駆動源（図示せず）に駆動連結された駆動ローラ１９および右端に配置され従動ローラとしても機能する転写ローラ１４Ｋの外周面に張架支持され、図面時計回り方向（矢印Ａ）に回転されるようになっている。転写ベルト４は、用紙を上面で担持しながら左側から右側に搬送するための用紙搬送部材を構成する。また、転写ベルト４は、駆動ローラ１９の軸を中心として回動し、これにより感光体ドラム８Ｋと当接した位置と感光体ドラム８Ｋから離間した位置との間で移動できるようにしてある（なお、本実施形態では、感光体ドラム８Ｋが転写ベルト４から離間すると、他の感光体ドラム８Ｙ，８Ｍ，８Ｃも転写ベルトから離間することになるが、これは必須ではなく、感光体ドラム８Ｋのみを転写ベルトから離間するようにした構成も本発明の範囲内に含まれる。）
【００１４】
プリンタ２の左側には、給紙カセット２０ａが着脱可能に配置されている。給紙カセット２０ａ内に積載収容された用紙Ｓａは、カラーモードにおいて印刷されるもので、給紙カセットに積載された用紙の先端近傍に対向した位置に配置された給紙ローラ２２ａの回転によって最上部のものから１枚ずつガイド２４ａに送り出されるようになっている。ガイド２４ａは、給紙ローラ２２ａからレジストローラ対２６ａのニップ部を介してローラ１９に支持された転写ベルト４上側部分まで延びている。
【００１５】
プリンタ２の右上には、定着器２８が配置されている。感光体ドラム８Ｋと転写ローラ１４Ｋとの対向部分の右側の位置（詳しくは後述）から定着器２８を構成する一対のローラ（加熱ローラおよび加圧ローラ）のニップ部近傍までガイド３０が延びている。プリンタ２の上面には排紙部３２が形成されている。定着器２８から排出された用紙は、排紙ローラ対３４に搬送されて排紙部３２に排紙されるようになっている。
【００１６】
転写ローラ１４Ｋの軸には、感光体ドラム８Ｋに当接可能なカム３６が取り付けてある。カム３６は、カラーモードにおいて図２に示すように感光体ドラム８Ｋに対し離接ししたがって転写ベルト４が感光体ドラム８Ｋに当接した位置３６ａ（このときの転写ベルトの位置を４ａとする。）と、モノクロモードにおいて図３に示すように感光体ドラム８Ｋと当接しこれにより転写ベルト４を感光体ドラムから離間させる位置３６ｂ（このとき転写ベルトの位置を４ｂとする。）との間で移動できるようになっている。詳しくは省略するが、カラーモードにおいて、転写ローラ１４Ｋの軸の回転力は、カム３６には伝達しないようにしてある。
【００１７】
ガイド３０は、上端（定着器２８側）を中心として、図２に示すカラーモード位置３０ａと、図３の実線で示すモノクロモード位置３０ｂとの間で回動できるようにしてある。カラーモードにおいて、図２に示すように、ガイド３０ａの下端は、感光体ドラム８Ｋと転写ローラ１４Ｋとの対向部分の右側から所定の距離あけて配置される。この対向部分の右側近傍には、転写ローラ１４Ｋで支持された転写ベルト４に先端が当接し用紙Ｓａを該ベルトから分離するための分離爪３８が配置されている。分離爪３８は、図示しない付勢手段により軸を中心として図中反時計回りに付勢されることで転写ベルト１４Ｋに当接する。分離爪３８はまた、用紙Ｓａのガイド面を有し、用紙は、感光体ドラム８Ｋと転写ローラ１４Ｋとの対向部分から分離爪を介してガイド３０に案内されるようにしてある。モノクロモードでは、図３に示すように、ガイド３０は、その下端が転写ベルト４から離間した感光体ドラム８Ｋの外周面右側近傍に配置されるようにしてある。
【００１８】
カラーモードにおいて、用紙Ｓａは、第１の搬送方向に沿って、給紙ローラ２２ａから、（途中にレジストローラ対２６ａが設けられた）ガイド２４ａ、転写ベルト４（の上面）、分離爪３８、位置３０ａに設定されたガイド３０、定着器２８、搬送ローラ対３４を経て排紙部３２に到る第１の搬送路上を搬送されることになる。
【００１９】
転写ローラ１４Ｋと感光体ドラム８Ｋの対向部分の右側近傍には、分離爪３８に対向して、用紙Ｓａを除電して該用紙の転写ベルト４への静電吸着力を減衰させるための分離帯電器５２が設けてある。これは、低湿環境では用紙Ｓａが乾燥して電気抵抗が大きくなり用紙の転写ベルト４への静電吸着力が大きくなることを考慮したもので、分離爪３８のみを設ける場合に比べて分離効果が大きい。通常、分離帯電器５２は、トナー画像が未定着の状態で用紙Ｓａを除電するため、非接触式が用いられる。なお、転写ベルト４は、ＰＥＴシートやポリフッ化ビニリデンシート等の誘電体シートであり、これらの体積抵抗率は１０１３〜１０１８Ωｍが一般的である。
【００２０】
転写ベルト４上を搬送される用紙Ｓａに各色のトナー画像が転写された後に、転写ベルト上に残留したトナーその他の異物を除去するために、ローラ１９に支持された転写ベルト部分にはクリーニングブレード５４が当接されている。また、用紙Ｓａが分離された後に転写ベルト４に残留した電荷は、接地された除電ローラ５６により除去するようにしてある。
【００２１】
プリンタ２の下部には、給紙カセット２０ｂが着脱可能に配置されている。給紙カセット２０ｂ内に積載収容された用紙Ｓｂは、モノクロモードにおいて印刷されるもので、給紙カセットに積載された用紙の先端近傍に対向した位置に配置された給紙ローラ２２ｂの回転によって最上部のものから１枚ずつガイド２４ｂに送り出されるようになっている。ガイド２４ｂは、給紙ローラ２２ｂからレジストローラ対２６ｂのニップ部を介して転写ローラ４０まで延びている。ガイド２４ｂ、レジストローラ対２６ｂ、および転写ローラ４０は、カセット５８内に設けられており、カセット５８は、カラーモードにおいて転写ローラ４０が第１の搬送路から退避した位置５８ａ（図２）と、モノクロモードにおいて転写ローラ４０が感光体ドラム８Ｋの外周面右側と当接する位置５８ｂ（図３）との間で、給紙ローラ２２ｂの軸を中心に回動できるようにしてある。
【００２２】
モノクロモードにおいて、用紙Ｓｂは、第２の搬送方向に沿って、給紙ローラ２２ｂから、（途中にレジストローラ対２６ｂが設けられた）ガイド２４ｂ、感光体ドラム８Ｋと転写ローラ４０のニップ部、位置３０ｂに設定されたガイド３０、定着器２８、搬送ローラ対３４を経て排紙部３２に到る第２の搬送路上を搬送されることになる。本実施形態において、ガイド２４ｂおよびレジストローラ対２６ｂは、用紙を第２の搬送方向に沿って、第１の搬送方向に関して最下流に位置する作像ユニット６Ｋまで搬送する用紙搬送ユニットを構成する。
【００２３】
なお、分離爪３８は、モノクロモードにおいて、付勢手段に抗して図中時計回り方向に回転させ、これにより図３に示すように分離爪３８のガイド面がガイド２４ｂの一部と協働して第２の搬送路の一部を構成するようにしてある。
【００２４】
次に、プリンタ２の動作について説明する。
【００２５】
外部装置（例えばパソコン）からプリンタ２の画像信号処理部（図示せず）にカラーモード指令とともに画像信号が入力されると、画像信号処理部ではこの画像信号をイエロー、マゼンタ、シアン、ブラックに色変換したデジタル画像信号を作成する。
【００２６】
一方、図２に示すように、カム３６は感光体ドラム８Ｋから離接した位置３６ａに設定されることにより、転写ベルト４は、感光体ドラム８Ｋに当接する位置４ａに設定される。分離爪３８は、転写ローラ１４Ｋに支持された転写ベルト４部分に当接する位置、ガイド３０は、下端が分離爪３８近傍となる位置３０ａ、カセット５８は退避位置５８ａにそれぞれ設定される。
【００２７】
こうして各部材がカラーモード用の位置に設定された状態で、画像信号処理部は、デジタル画像信号を図示しない駆動回路に出力し、駆動回路は、各作像ユニット６Ｙ〜６Ｋの各構成要素および露光装置１８に駆動信号を出力する。その結果、感光体ドラム８Ｙ〜８Ｋの表面はそれぞれ、帯電器１０Ｙ〜１０Ｋにより一様に帯電し、ついで露光装置１８によりレーザ光が照射されて露光が行われる。その結果、各感光体ドラムの表面には、各色用の静電潜像が形成される。各感光体ドラム１４Ｙ〜１４Ｋ上に形成された静電潜像は、各現像器１２Ｙ〜１２Ｋにより現像されて各色のトナー画像となる。
【００２８】
用紙Ｓａは、給紙カセット２０ａから搬送路に送り出され、所定のタイミングでレジストローラ対２６ａから転写ベルト４上に供給される。矢印Ａ方向に移動する用紙Ｓａにはまず、転写ローラ１４Ｙの作用によりイエローのトナー画像が転写される。この転写により、用紙Ｓａは、転写ベルト４上に静電吸着力により保持され下流側に搬送されることになる。用紙Ｓａには、転写ローラ１４Ｍ，１４Ｃ，１４Ｋの作用により、イエローのトナー画像にマゼンタ、シアン、ブラックのトナー画像が順次重ね合わせて転写される。
【００２９】
このようにして重ね合わせトナー画像が形成された用紙Ｓａは、図４に示すように、分離爪３８および分離帯電器５２により転写ベルト４から分離されながら、分離爪のガイド面を介してガイド３０に送られる。用紙Ｓａは、続いて定着器２８に送られ、そこでトナー画像が定着される。そして、用紙Ｓａは排紙ローラ対３４を介して排紙部３２に排出される。
【００３０】
一方、外部装置からプリンタ２の画像信号処理部にモノクロモード指令とともに画像信号が入力されると、画像信号処理部ではこの画像信号をブラックに色変換したデジタル画像信号を作成する。
【００３１】
一方、図３に示すように、カム３６は感光体ドラム８Ｋに当接した位置３６ｂに設定されることにより、転写ベルト４は、感光体ドラム８Ｋから離間した位置４ｂに設定される。分離爪３８は、ガイド面がガイド２４ｂに対向する位置、ガイド３０は、下端が感光体ドラム８Ｋの外周面右側近傍となる位置３０ｂ、カセット５８は、転写ローラ４０が感光体ドラム８Ｋと当接する位置５８ｂにそれぞれ設定される。さらに、作像ユニット６Ｋを除く作像ユニット６Ｙ，６Ｍ，６Ｃの構成要素（帯電器１０や現像器１２など）の作動が停止されるとともに、転写ベルト４の駆動が停止される。
【００３２】
こうして各部材がモノクロモード用の位置に設定されるとともに、転写ベルト４の駆動および作像ユニット６Ｙ〜６Ｃの作動が停止した状態で、画像信号処理部は、デジタル画像信号を駆動回路に出力し、駆動回路は、作像ユニット６Ｋの各構成要素および露光装置１８に駆動信号を出力する。露光装置１８は帯電器１０Ｋにより一様に帯電した感光体ドラム８Ｋにレーザ光を照射して露光を行い、感光体ドラム８Ｋの表面にブラック用の静電潜像が形成される。この静電潜像は、現像器１２Ｋにより現像されてブラックのトナー画像となる。
【００３３】
用紙Ｓｂは、図５に示すように、給紙カセット２０ｂから搬送路に送り出され、所定のタイミングでレジストローラ対２６ｂから感光体ドラム８Ｋと転写ローラ４０のニップ部に供給される。用紙Ｓｂは、そこで転写ローラ４０の作用によりブラックのトナー画像が転写された後（このように、転写ローラ４０は、最下流作像ユニット６Ｋの感光体ドラム８Ｋのトナー画像を、用紙搬送ユニットにより第２の搬送方向に沿って搬送される用紙Ｓｂに転写する転写器として機能する。）、ガイド３０に送られる。用紙Ｓｂは、続いて定着器２８に送られ、そこでトナー画像が定着される。そして、用紙Ｓｂは排紙ローラ対３４を介して排紙部３２に排出される。
【００３４】
本実施形態によれば、モノクロモードにおいて、作像ユニット６Ｋの感光体ドラム８Ｋは、転写ベルト４から切り離されているので、作像ユニット６Ｙ〜６Ｃの作動を停止するのみならず転写ベルト４の駆動を停止できる。したがって、モノクロモードにおいて転写ベルト４に対するストレス（例えば、クリーニングブレード５４との当接）がなく、転写ベルト４の長寿命化およびプリンタ２のランニングコストの低減（省エネ）を図ることができる。
【００３５】
なお、特開２０００−２２１７５０号公報には、イエロー、マゼンタ、シアン用の作像ユニットを第１の中間転写体に対向させるとともに、ブラック用の作像ユニットを第２の中間転写体に対向させ、モノクロモードにおいてはイエロー、マゼンタ、シアン用の作像ユニットおよび第１の中間転写体の駆動を停止する画像形成装置が開示されている（［００３３］参照）。本実施形態では、転写ベルト（広義には用紙搬送部材）に対向して全ての作像ユニット６Ｙ〜６Ｋを配置できるので、上記特許文献に開示の画像形成装置に比べて、色ずれ調整が簡易にできる点で有利である。
【００３６】
以上の説明は、本発明の一実施形態に係るもので、本発明はこれに限らず種々改変可能である。例えば、カラーモードにおいて用紙を搬送する用紙搬送部材は、ベルト状の部材４に限らず、例えばドラム状やローラ状であってもよい。
【００３７】
また、転写ローラ１４Ｙ，１４Ｍ，１４Ｃの代わりに、ブレードやブラシなどの接触式転写器やコロトロンなどの非接触式転写器を用いてもよい。接触式転写器の場合、オゾンレス、温湿度の環境変動に強い、高画質が得られるなどの利点を有する。転写安定性のために、転写ローラ１４Ｙ，１４Ｍ，１４Ｃの直ぐ下流側に除電針を設けてもよい。除電針は、転写ベルト４に非接触であるが、転写電流の一部を放電して逃がす役割を果たす。この場合、感光体ドラム８Ｙ，８Ｍ，８Ｃから用紙Ｓａが分離した後の帯電ムラによる放電を防止できる。
【００３８】
モノクロモードにおいて感光体ドラムと協働してトナー画像を用紙に転写するための転写器は、転写ローラ４０に限らず、ベルト状の他の接触式転写器であってもよいしコロトロンなどの非接触式転写器であってもよい。非接触式の場合、接触式と異なり、カラーモードにおいて感光体ドラムから離間する必要はない。
【００３９】
上記実施形態では、カラーモードまたはモノクロモードの選択は、外部端末からの指令に基づいて行うようにしたが、画像形成装置に入力される画像信号に基づいてカラーモードかモノクロモードかを自動的に判定するためのＡＣＳ（Auto Color Select)部を画像形成装置側に設けてもよい。
【００４０】
上記実施形態では、転写ベルト４を支持するローラ１４Ｋがブラック用の転写ローラの機能を有するようにしたが、例えば図６に示すように、転写ベルト４を支持するローラ６０とブラック用の転写ローラ６２を別々に設けてもよい。図のように第１の搬送方向に関して感光体ドラム８Ｋをローラ６０の上流側に設けた場合、モノクロモードにおいて感光体ドラム８Ｋと協働して第２の搬送方向を搬送される用紙にトナー画像を転写するための転写器は、転写ローラなどの接触式の場合であっても、カラーモードにおいて第１の搬送路と干渉しなければ感光体ドラム８Ｋからの離間を不要にすることも可能である。
【００４１】
転写ベルト４と感光体ドラム８Ｋの離隔・当接動作は、カム３６を用いた機構に限定されない。
【００４２】
モノクロモードで印字される色はブラック以外でもよい。この場合、モノクロモードで印字する色に対応する作像ユニットを第１の搬送方向に関して最下流に配置すればよい。
【図面の簡単な説明】
【００４３】
【図１】本発明に係る画像形成装置の一実施形態を示す構成図。
【図２】カラーモードにおける図１の画像形成装置の構成部材の設定位置を示す部分拡大図。
【図３】モノクロモードにおける図１の画像形成装置の構成部材の設定位置を示す部分拡大図。
【図４】カラーモードにおいて用紙が搬送される様子を示す、図２に対応する図。
【図５】モノクロモードにおいて用紙が搬送される様子を示す、図３に対応する図。
【図６】本発明に係る画像形成装置の別の実施形態を示す部分拡大図。
【符号の説明】
【００４４】
２  プリンタ（画像形成装置）
４  転写ベルト（用紙搬送部材）
６Ｙ〜６Ｃ  作像ユニット
６Ｋ  最下流作像ユニット
８Ｙ〜８Ｋ  感光体ドラム（像担持体）
４０  転写ローラ（転写器）
Ｓａ  カラー印刷紙
Ｓｂ  モノクロ印刷紙
【図１】
2006119393.tif 000003
【図２】
2006119393.tif 000004
【図３】
2006119393.tif 000005
【図４】
2006119393.tif 000006
【図５】
2006119393.tif 000007
【図６】
2006119393.tif 000008